(57)【要約】      （修正有）【課題】ビデオコンテンツ投影可能の携帯型ドッキング装置を提供する。【解決手段】携帯型ドッキング装置１０はＵＳＢ  Ｔｙｐｅ−Ｃポート１１を別の形式のポートに変更することができる。さらに、携帯型ドッキング装置は当該携帯型ドッキング装置に接続されたモバイルデバイス３０から電力を受電することができ、ピコ投影ユニット１９は電力を受電し、モバイルデバイスに表示される画面に同期する拡大画面を投影することができる。したがって、モバイルデバイスに表示される画面は拡大することができ、視聴者は視聴者の視野が遮断されることなく拡大画面を視聴することができる。さらに、携帯型ドッキング装置のユーザは電源アダプタを持参する必要がなく、携帯型ドッキング装置の利便性及び携帯性を向上させることができる。【選択図】図１
0003203823.tif 000002
【実用新案登録請求の範囲】
【請求項１】
ケーブルに接続されるケーブル接続端子、信号送信端子及び電力伝送端子を有するＵＳＢ  Ｔｙｐｅ−Ｃポート、
前記ＵＳＢ  Ｔｙｐｅ−Ｃポートの前記電力伝送端子に接続される第１のスイッチ、
入力部及び出力部を有し、前記入力部は前記第１のスイッチを介して前記ＵＳＢ  Ｔｙｐｅ−Ｃポートの前記電力伝送端子に接続されるＤＣ／ＤＣコンバータ、
前記ＵＳＢ  Ｔｙｐｅ−Ｃポートの前記電力伝送端子に接続されて電力検出信号を受信し、前記第１のスイッチに接続されて前記電力検出信号に応じて前記第１のスイッチをオン又はオフする電力供給制御部、
前記ＤＣ／ＤＣコンバータの前記出力部に接続される第２のスイッチ、
前記第２のスイッチを介して前記ＤＣ／ＤＣコンバータの前記出力部に接続されるシステム電源端子、
前記電力供給制御部に接続されて制御信号を受信し、前記第２のスイッチに接続されて前記制御信号に応じて前記第２のスイッチオン又はオフするマイクロプロセッサ、
前記ＵＳＢ  Ｔｙｐｅ−Ｃポートの前記信号送信端末に接続されるＵＳＢハブ、
前記ＵＳＢハブに接続される接続モジュール、
前記システム電源端子に接続されて電力を受電し、前記接続モジュールに接続されるピコ投影ユニットを備えることを特徴とするビデオコンテンツ投影可能の携帯型ドッキング装置。
【請求項２】
電力入力ポート、
前記電力入力ポート及び前記ＤＣ／ＤＣコンバータの前記入力部間に接続される第３のスイッチ、
前記第３のスイッチに接続されて前記第３のスイッチに入る電流／電圧値が電力設定範囲内にあるか否かを判定する第１のＯＣＰ／ＯＶＰユニットを備え、前記電流／電圧値が電力設定範囲内であるとき前記第１のＯＣＰ／ＯＶＰユニットは前記第３のスイッチをオンにし、前記電流／電圧値が電力設定範囲外であるとき前記第１のＯＣＰ／ＯＶＰユニットは前記第３のスイッチをオフにすることを特徴とする請求項１記載の携帯型ドッキング装置。
【請求項３】
前記マイクロプロセッサは前記第１のＯＣＰ／ＯＶＰユニットに接続されて前記第３のスイッチがオンになっているか否かを判定し、前記電力供給制御部は前記第３のスイッチが前記マイクロプロセッサによってオンされると判定するとき前記電力供給制御部は前記第１のスイッチをオンにすることを特徴とする請求項２記載の携帯型ドッキング装置。
【請求項４】
前記第１のスイッチ及び前記ＤＣ／ＤＣコンバータの前記入力部間に接続される第４のスイッチを備え、前記第４のスイッチ及び前記第１のスイッチによって接続される接続点は前記第３のスイッチ及び前記充電ユニットによって接続される接続点に接続され、前記第４のスイッチに接続されて前記第４のスイッチに入る電流／電圧値が電力設定範囲内にあるか否かを検出する第２のＯＣＰ／ＯＶＰユニットを備え、前記電流／電圧値が前記電力設定範囲内であるとき前記第２のＯＣＰ／ＯＶＰユニットは前記第４のスイッチをオンにし、前記電流／電圧値が前記電力設定範囲外であるとき前記第２のＯＣＰ／ＯＶＰユニットは前記第４のスイッチをオフにすることを特徴とする請求項１記載の携帯型ドッキング装置。
【請求項５】
前記第１のスイッチ及び前記ＤＣ／ＤＣコンバータの前記入力部間に接続される第４のスイッチを備え、前記第４のスイッチ及び前記第１のスイッチによって接続される接続点は前記第３のスイッチ及び前記充電ユニットによって接続される接続点に接続され、前記第４のスイッチに接続されて前記第４のスイッチに入る電流／電圧値が前記電力設定範囲内にあるか否かを検出する第２のＯＣＰ／ＯＶＰユニットを備え、前記電流／電圧値が前記電力設定範囲内であるとき前記第２のＯＣＰ／ＯＶＰユニットは前記第４のスイッチをオンにし、前記電流／電圧値が前記電力設定範囲外であるとき前記第２のＯＣＰ／ＯＶＰユニットは前記第４のスイッチをオフにすることを特徴とする請求項２記載の携帯型ドッキング装置。
【請求項６】
前記第１のスイッチ及び前記ＤＣ／ＤＣコンバータの前記入力部間に接続される第４のスイッチを備え、前記第４のスイッチ及び前記第１のスイッチによって接続される接続点は前記第３のスイッチ及び前記充電ユニットによって接続される接続点に接続され、前記第４のスイッチに接続されて前記第４のスイッチに入る電流／電圧値が前記電力設定範囲内にあるか否かを検出する第２のＯＣＰ／ＯＶＰユニットを備え、前記電流／電圧値が前記電力設定範囲内であるとき前記第２のＯＣＰ／ＯＶＰユニットは前記第４のスイッチをオンにし、前記電流／電圧値が前記電力設定範囲外であるとき前記第２のＯＣＰ／ＯＶＰユニットは前記第４のスイッチをオフにすることを特徴とする請求項３記載の携帯型ドッキング装置。
【請求項７】
前記マイクロプロセッサは、前記第１のＯＣＰ／ＯＶＰユニットに接続されて第１の制御信号を受信し、前記第３のスイッチがオンになっているか否かを判定し、前記第２のＯＣＰ／ＯＶＰユニットに接続されて第２の制御信号を受信し、前記第４のスイッチがオンになっているか否かを判定し、さらに前記マイクロプロセッサは前記第１の制御信号及び前記第２の制御信号に応じて前記第２のスイッチを制御することを特徴とする請求項５又は請求項６記載の携帯型ドッキング装置。
【請求項８】
前記ＤＣ／ＤＣコンバータの前記入力部に接続される充電ユニット、
前記充電ユニットに接続されるバッテリーを備えることを特徴とする請求項１乃至請求項６何れか１項記載の携帯型ドッキング装置。
【請求項９】
前記ＤＣ／ＤＣコンバータの前記入力部に接続される充電ユニット、
前記充電ユニットに接続されるバッテリーを備えることを特徴とする請求項７記載の携帯型ドッキング装置。
【請求項１０】
前記接続モジュールは少なくとも１つのＵＳＢ  Ｔｙｐｅ−Ａポート、ＵＳＢ  Ｔｙｐｅ−Ｃポート、オーディオ出力ポート、オーディオ入力ポート、インターネット接続ポート、ビデオ接続ポート及びＨＤＭＩポート又はこれらの組み合わせの何れか１つを備えることを特徴とする請求項１乃至請求項６何れか１項記載の携帯型ドッキング装置。
【請求項１１】
前記接続モジュールは少なくとも１つのＵＳＢ  Ｔｙｐｅ−Ａポート、ＵＳＢ  Ｔｙｐｅ−Ｃポート、オーディオ出力ポート、オーディオ入力ポート、インターネット接続ポート、ビデオ接続ポート及びＨＤＭＩポート又はこれらの組み合わせの何れか１つを備えることを特徴とする請求項７記載の携帯型ドッキング装置。
【請求項１２】
前記接続モジュールは少なくとも１つのＵＳＢ  Ｔｙｐｅ−Ａポート、ＵＳＢ  Ｔｙｐｅ−Ｃポート、オーディオ出力ポート、オーディオ入力ポート、インターネット接続ポート、ビデオ接続ポート及びＨＤＭＩポート又はこれらの組み合わせの何れか１つを備えることを特徴とする請求項８記載の携帯型ドッキング装置。
【請求項１３】
接続モジュールは、少なくとも１つのＵＳＢポートタイプ、ＵＳＢ  Ｔｙｐｅ−Ｃポート、オーディオ出力端子、オーディオ入力ポート、インターネット接続ポート、ビデオ接続ポート及びＨＤＭＩポート又はこれらの組み合わせの何れか１つを備えることを特徴とする請求項９記載の携帯型ドッキング装置。
【考案の詳細な説明】
【技術分野】
【０００１】
本考案は、ドッキング装置に関し、特にビデオコンテンツ投影可能の携帯型ドッキング装置に係わる。
【背景技術】
【０００２】
モバイルデバイス（移動式装置）はＶＧＡ（ビデオ・グラフィック・アレイ）ケーブル又はＨＤＭＩ（高精細マルチメディア・インタフェース）（登録商標）ケーブルを介して大きなモニタ又はプロジェクターに接続することができ、モバイルデバイスのビデオコンテンツはより大きなモニタ上に又はプロジェクターによって表示でき、モバイルデバイスのユーザはビデオコンテンツを大画面上で視聴し楽しむことができるようになっている。モバイルデバイスはＲＪ４５コネクタを有してもよく、ＲＪ４５ケーブルによってルータに接続することができる。それで、ユーザはインターネットにモバイルデバイスによって接続することができる。
【０００３】
大きなモニタ又はプロジェクターが利用できないとき、モバイルデバイスのビデオコンテンツは大画面上に表示することができない。したがって、多くの視聴者がモバイルデバイス上に表示される映像コンテンツを視聴するとき、視聴者の一部は他の視聴者の視野を遮断することができる。
【０００４】
モバイルデバイスは小型化されてモバイルデバイスの携帯性を高め、小型化されたモバイルデバイスは容易に持ち運ぶことができる。したがって、ＶＧＡコネクタ、ＨＤＭＩコネクタ及びＲＪ４５コネクタなどの標準的なコネクタは小型化されたモバイルデバイスに接続できない。何故なら、標準コネクタの容積は小型化することができないからである。
【０００５】
標準コネクタを有する従来のドッキングステーションは小型化されたコネクタを介して小型化されたモバイルデバイスを接続するために使用される。したがって、小型化されたモバイルデバイスは標準的なコネクタに適合させることができる。例えば、小型化されたモバイルデバイスのマイクロＵＳＢポートはドッキングステーションによりＨＤＭＩポートに適合させることができる。
【考案の概要】
【考案が解決しようとする課題】
【０００６】
しかしながら、従来のドッキングステーションはデータを送信するためのアダプタであるのみで、電力を同期伝送することができない。したがって、従来のドッキングステーションがスピーカ等の電力を消費するユニットを含むとき、ドッキングステーションは電源アダプタによって電源に接続することがさらに必要になる。ユーザがドッキングステーションを使用したいとき、ユーザはさらに電源アダプタを持ち運ぶ必要があり、不便をもたらす。
【０００７】
本考案の目的は、ビデオコンテンツを投影可能の携帯型ドッキング装置を提供することである。
【課題を解決するための手段】
【０００８】
上記目的を達成するために、ビデオコンテンツを投影可能の携帯型ドッキング装置は、ＵＳＢ Ｔｙｐｅ−Ｃポート、第１のスイッチ、ＤＣ／ＤＣコンバータ、電力供給制御部、第２のスイッチ、システム電源端子、マイクロプロセッサ、ＵＳＢハブ、接続モジュール及びピコ投影ユニットを備えている。
【０００９】
ＵＳＢ Ｔｙｐｅ−Ｃポートは、ケーブルに接続されるケーブル接続端子、信号送信端子及び電力伝送端子を備えている。
【００１０】
第１のスイッチは、ＵＳＢ Ｔｙｐｅ−Ｃポートの電力伝送端子に接続される。ＤＣ／ＤＣコンバータは入力部及び出力部を備え、入力部は第１のスイッチを介してＵＳＢ Ｔｙｐｅ−Ｃポートの電力伝送端子に接続される。
【００１１】
電力供給制御部は、ＵＳＢ Ｔｙｐｅ−Ｃポートの電力伝送端子に接続されて電力検出信号を受信し、第１のスイッチに接続されて電力検出信号に応じて第１のスイッチをオン、オフにする。電力供給制御部が第１のスイッチをオンするとき、ＵＳＢ Ｔｙｐｅ−Ｃポートの電力伝送端子はＤＣ／ＤＣコンバータの入力部に接続される。
【００１２】
第２のスイッチはＤＣ／ＤＣコンバータの出力部に接続される。システム電源端子は第２のスイッチを介してＤＣ／ＤＣコンバータの出力部に接続される。
【００１３】
マイクロプロセッサは電力供給制御部に接続されて制御信号を受信し、第２のスイッチに接続されて制御信号に応じて第２のスイッチをオン又はオフする。電力供給制御部が第１のスイッチをオンするとき、マイクロプロセッサは第２のスイッチをオンにしてＤＣ／ＤＣコンバータの出力部はシステム電源端子に接続されるようにする。
【００１４】
ＵＳＢハブはＵＳＢ Ｔｙｐｅ−Ｃポートの信号送信端子に接続される。接続モジュールはＵＳＢハブに接続される。ピコ投影ユニットはシステム電源端子に接続されて電力を受電し、かつ接続モジュールに接続される。
【００１５】
携帯型ドッキング装置はモバイルデバイスが電力供給制御部で受信された電力検出信号に応じて電力を供給することが可能でるか否かを検出する。モバイルデバイスはケーブルを介してＵＳＢ Ｔｙｐｅ−Ｃポートに接続される。モバイルデバイスが電力を供給することが可能であるとき、第１のスイッチ及び第２のスイッチはオンされる。したがって、モバイルデバイスによって供給される電力はシステム電源端末に送電することができ、かつピコ投影ユニットはシステム電源端子から電力を受電し、通常のとおり動作してビデオコンテンツを投影することができる。モバイルデバイスが電力を供給することができないとき、第１のスイッチ及び第２のスイッチがオフになる。したがって、ピコ投射部は電力を受電することができない。モバイルデバイスが電力を供給することができないとき、携帯型ドッキング装置はモバイルデバイスからＵＳＢ Ｔｙｐｅ−Ｃポートによって依然として接続モジュールによって信号を受信し、その信号を出力することができる。
【００１６】
ピコ投影ユニットは、モバイルデバイスから電力及び信号を受電、受信し、モバイルデバイスに表示される画面に同期して拡大画面を投影することができる。したがって、視聴者は拡大画面を視聴することができ、視聴者の視野は遮断されない。さらに、モバイルデバイスは電力を供給することができ、携帯型ドッキング装置のユーザは電源アダプタを持参する必要がない。ユーザは単に携帯型ドッキング装置及びモバイルデバイスを持参して、拡大画面を投影することができる。
【００１７】
本考案の他の目的、利点及び新規な特長は以下の詳細な説明から図面と併せて参照すれば一層明らかとなる。
【図面の簡単な説明】
【００１８】
【図１】図１は、本考案の実施例のシステムブロック図である。
【図２】図２は、本考案の別の実施例のシステムブロック図である。
【図３】図３は、電力がモバイルデバイスによって供給されるとき電流流れ方向の概略図である。
【図４】図４は、電力がバッテリーから供給されるとき電流流れ方向の概略図である。
【図５】図５は、電力が外部電源によって供給されるとき電流流れ方向を示す概略図である。
【考案を実施するための形態】
【００１９】
以下、本考案にしたがうビデオコンテンツ投影可能の携帯型ドッキング装置をその好ましい実施例について図面を参照して詳述する。
【００２０】
図１を参照するに、本考案はビデオコンテンツ投影可能の携帯型ドッキング装置１０である。携帯型ドッキング装置１０の第１の実施例は図１に示される。携帯型ドッキング装置１０は、ＵＳＢ（ユニバーサル・シリアル・バス）Ｔｙｐｅ−Ｃポート１１、第１のスイッチ１２、ＤＣ／ＤＣコンバータ１３、電源供給制御部１４、第２のスイッチ１５、マイクロプロセッサ１６、ＵＳＢハブ１７、接続モジュール１８及びピコ投影ユニット１９を備えている。
【００２１】
ＵＳＢ Ｔｙｐｅ−Ｃポート１１は、ケーブル２０を接続するケーブル接続端子Ｉ／Ｐ１、信号送信端子Ｏ／Ｐ１及び電力伝送端子Ｏ／Ｐ２を備えている。第１のスイッチ１２はＵＳＢ Ｔｙｐｅ−Ｃポート１１の電力伝送端子Ｏ／Ｐ２に接続される。ＤＣ／ＤＣコンバータ１３は入力部Ｉ／Ｐ２及び出力部Ｏ／Ｐ３を備えている。ＤＣ／ＤＣコンバータ１３の入力部Ｉ／Ｐ２は第１のスイッチ１２を介してＵＳＢ Ｔｙｐｅ−Ｃポート１１の電力伝送端子Ｏ／Ｐ２に接続される。モバイルデバイス３０はケーブル２０を介してＵＳＢ Ｔｙｐｅ−Ｃポート１１に接続される。
【００２２】
電力供給制御部１４はＵＳＢ Ｔｙｐｅ−Ｃポート１１の電力伝送端子Ｏ／Ｐ２に接続されて電力検出信号を受信し、電力供給制御部１４はモバイルデバイス３０が電力を供給することができるか否かを判定する。さらに電力供給制御部１４は第１のスイッチ１２に接続されて電力検出信号に応じて第１のスイッチ１２をオン又はオフにする。電力供給制御部１４は、モバイルデバイス３０が電力を供給することが可能であると判定するとき、電力供給制御部１４は第１のスイッチ１２をオンにし、ＵＳＢ Ｔｙｐｅ−Ｃポート１１の電力伝送端子Ｏ／Ｐ２はＤＣ／ＤＣコンバータ１３の入力部Ｉ／Ｐ２に接続することができる。
【００２３】
第２のスイッチ１５はＤＣ／ＤＣコンバータ１３の出力部Ｏ／Ｐ３に接続される。システム電源端子ＶＣＣは第２のスイッチ１５を介してＤＣ／ＤＣコンバータ１３の出力部Ｏ／Ｐ３に接続される。マイクロプロセッサ１６は電力供給制御部１４に接続されて制御信号を受信し、かつ第２のスイッチ１５に接続されて第２のスイッチ１５を制御信号に応じてオン、オフする。電力供給制御部１４が第１のスイッチ１２をオンするとき、マイクロプロセッサ１６は第２のスイッチ１５をオンにし、ＤＣ／ＤＣコンバータ１３の出力部Ｏ／Ｐ３はシステム電源端子ＶＣＣと接続されるようにする。この実施例において、マイクロプロセッサ１６のモデル番号はＳＴＭ８Ｓ１０３Ｋである。
【００２４】
ＵＳＢハブ１７はＵＳＢ Ｔｙｐｅ−Ｃポート１１の信号送信端子Ｏ／Ｐ１に接続される。接続モジュール１８はＵＳＢハブ１７に接続される。ピコ投影ユニット１９はシステム電源端子ＶＣＣに接続されて電力を受電し、かつ接続モジュール１８に接続される。この実施例において、ＵＳＢハブ１７のモデル番号はＧＬ３５３２−Ｓである。
【００２５】
ユーザが携帯型ドッキング装置１０を使用するとき、ユーザはモバイルデバイス３０をケーブル２０を介して携帯型ドッキング装置１０のＵＳＢ Ｔｙｐｅ−Ｃポート１１と接続する。それでモバイルデバイス３０はケーブル２０を介して電力を供給でき、データを携帯型ドッキング装置１０に送信することができる。
【００２６】
携帯型ドッキング装置１０の電力供給制御部１４がＵＳＢ Ｔｙｐｅ−Ｃポート１１に接続し、電力供給制御部１４はケーブル２０を介して電力検出信号を受信し、モバイルデバイス３０が電力をピコ投影ユニット１９に供給することができるか否かを判定する。モバイルデバイス３０が電力を供給することが可能であるとき、電力供給制御部１４は第１のスイッチ１２をオンにし、モバイルデバイスに３０は第１のスイッチ１２、ＤＣ／ＤＣコンバータ１３及び第２のスイッチ１５を介して電力をピコ投影ユニット１９に供給することができる。この実施例において、ＤＣ／ＤＣコンバータ１３のモデル番号はＮＢ６７９であり、電力供給制御部１４のモデル番号はＲＴ７８００である。
【００２７】
さらに、モバイルデバイス３０はケーブル２０を介してデータを携帯型ドッキング装置１０に送信する。携帯型ドッキング装置１０がＵＳＢ Ｔｙｐｅ−Ｃポート１１のケーブル接続端子Ｉ／Ｐ１からデータを受信するとき、携帯型ドッキング装置１０は信号送信端子Ｏ／Ｐ１を介してデータをＵＳＢハブ１７に送信し、かつ接続モジュール１８を介してデータをピコ投影ユニット１９に送信する。したがって、電力供給制御部１４はモバイルデバイス３０が電力を供給することができると判定したとき、ピコ投影ユニット１９は電力及びデータを受電、受信することができる。モバイルデバイス３０によって供給される電力は第１のスイッチ１２及び第２のスイッチ１５がオンされるためピコ投影ユニット１９に送電され、データはＵＳＢ Ｔｙｐｅ−Ｃポート１１、ＵＳＢハブ１７及び接続モジュール１８を介してピコ投影ユニット１９に送信される。それでピコ投影ユニット１９はモバイルデバイス３０に表示される画面に同期する拡大画面を投影することができる。視聴者は拡大画面を視聴することができ、視聴者の視野は遮断されない。さらに、モバイルデバイス３０は電力を供給することが可能であり、携帯型ドッキング装置１０のユーザは電源アダプタを持参する必要がない。ユーザは携帯型ドッキング装置１０及びモバイルデバイス３０を持参するだけで、拡大画面を投影することができる。
【００２８】
図２を参照するに、携帯型ドッキング装置１０の第２の実施例が示されている。携帯型ドッキング装置１０の第２の実施例は、さらに電力入力ポート１０１、第１のＯＣＰ／ＯＶＰユニット１０２、第３のスイッチ１０３、第２のＯＣＰ／ＯＶＰユニット１０４、第４のスイッチ１０５、バッテリー１０６及び充電ユニット１０７を備えている。
【００２９】
電力入力ポート１０１は外部直流電流を例えば電源アダプタを介して外部電源に接続して受電するように構成される。
【００３０】
第３のスイッチ１０３は電力入力ポート１０１及び充電ユニット１０７間に接続される。第３のスイッチ１０３及び充電ユニット１０７により接続された接続点はさらにＤＣ／ＤＣコンバータ１３の入力部Ｉ／Ｐ２に接続され、第３のスイッチ１０３はＤＣ／ＤＣコンバータ１３の入力部Ｉ／Ｐ２に接続される。
【００３１】
第１のＯＣＰ／ＯＶＰユニット１０２は第３のスイッチ１０３に接続されて第３のスイッチ１０３に入る電流／電圧値が電力設定範囲内にあるか否かを検出する。電流／電圧値が固定電流／電圧値よりも低く又は保護電流／電圧値よりも高いとき、電流／電圧値は電力設定範囲外であると考えられる。電流／電圧値が電力設定範囲内であるとき、第１のＯＣＰ／ＯＶＰユニット１０２は第３のスイッチ１０３をオンにする。電流／電圧値が電力設定範囲外のとき、第１のＯＣＰ／ＯＶＰユニット１０２は第３のスイッチ１０３をオフにする。したがって、電力設定範囲外の値を有する電流／電圧は携帯型ドッキング装置１０に入力することはなく、携帯型ドッキング装置１０における電子素子は電流／電圧によって損傷されることはない。
【００３２】
第４のスイッチ１０５は第１のスイッチ１２及びＤＣ／ＤＣコンバータ１３の入力部Ｉ／Ｐ２間に接続される。第４のスイッチ１０５及び第１のスイッチ１２によって接続された接続点はさらに第３のスイッチ１０３及び充電ユニット１０７によって接続された接続点に接続される。
【００３３】
第２のＯＣＰ／ＯＶＰユニット１０４は第４のスイッチ１０５に接続されて第４のスイッチ１０５に入る電流／電圧値が電力設定範囲内にあるか否かを検出する。第４のスイッチ１０５に入力する電流／電圧値が電力設定範囲内であるとき、第２のＯＣＰ／ＯＶＰユニット１０４は第４のスイッチ１０５をオンにし、第４のスイッチ１０５に入力する電流／電圧値が電力設定範囲外であるとき、第４のスイッチ１０５をオフにする。したがって、携帯型ドッキング装置１０における電子素子は第２のＯＣＰ／ＯＶＰユニット１０４によって保護することができる。この実施例において、第１のＯＣＰ／ＯＶＰユニット１０２及び第２のＯＣＰ／ＯＶＰユニット１０４のモデル番号はＬＴ４３６３である。
【００３４】
マイクロプロセッサ１６は第１のＯＣＰ／ＯＶＰユニット１０２に接続されて第１の制御信号を受信し、第３スイッチ１０３がオンされるか否かを判定し、かつ第２のＯＣＰ／ＯＶＰユニット１０４に接続されて第２の制御信号を受信し、第４のスイッチ１０５がオンされか否かを判定する。さらに、マイクロプロセッサ１６は第１の制御信号及び第２の制御信号に応じて第２のスイッチ１５を制御する。
【００３５】
充電ユニット１０７はＤＣ／ＤＣコンバータ１３の入力部Ｉ／Ｐ２に接続される。バッテリー１０６は充電ユニット１０７に接続される。バッテリー１０６が放電しているとき、バッテリー１０６の電力をＤＣ／ＤＣコンバータ１３の入力部Ｉ／Ｐ２に出力する。バッテリー１０６が充電しているとき、充電ユニット１０７は電力を受電し、バッテリー１０６を充電する。この実施例において、充電ユニット１０７のモデル番号はＢＱ２４６１０である。
【００３６】
接続モジュール１８は少なくとも１つのＵＳＢ Ｔｙｐｅ−Ａポート１８１、１８２、ＵＳＢ Ｔｙｐｅ−Ｃポート１８３、オーディオ出力ポート１８４、オーディオ入力ポート１８５、インターネット接続ポート１８６、ビデオ接続ポート１８７、ＨＤＭＩポート１８８、オーディオ・ビデオ接続ユニット１８０１及びＨＤＭＩ切替ユニット１８０２を備えている。
【００３７】
ＵＳＢ Ｔｙｐｅ−Ａポート１８１、ＵＳＢ Ｔｙｐｅ−Ｃポート１８３及びオーディオ・ビデオ接続ユニット１８０１はＵＳＢハブ１７に接続される。オーディオ出力ポート１８４、オーディオ入力ポート１８５、インターネット接続ポート１８６、ビデオ接続ポート１８７及びＨＤＭＩ切替ユニット１８０２はオーディオ・ビデオ接続ユニット１８０１に接続される。ＨＤＭＩポート１８８及びピコ投影ユニット１９はＨＤＭＩ切替ユニット１８０２に接続される。この実施例において、接続モジュール１８はＵＳＢ Ｔｙｐｅ−Ａポート１８１，１８２を備えている。オーディオ出力ポート１８４はオーディオジャックポートである。オーディオ入力ポート１８５はマイクジャックポートである。インターネット接続ポート１８６はＲＪ−４５ポートである。ビデオ接続ポート１８７はＤＶＩ（デジタル・ビジュアル・インターフェース）ポートである。
【００３８】
図３を参照するに、電力供給制御部１４はモバイルデバイス３０が電力検出信号に応じて電力を供給することが可能であると判定したとき、電力供給制御部１４は第１のスイッチ１２をオンにする。第３のスイッチ１０３を介して流れる電流は存在しない。したがって、第３のスイッチ１０３に入力する電流／電圧値は固定電流／電圧値よりも低く、電力設定範囲外であり、第１のＯＣＰ／ＯＶＰユニット１０２は第３のスイッチ１０３をオフにする。モバイルデバイス３０によって供給される電力は第１のスイッチ１２を介して第４のスイッチ１０５に送電される。電力供給制御部１４はモバイルデバイス３０が電力を供給することが可能であると判定するとき、第４のスイッチ１０５に入力する電流／電圧値は電力設定範囲を満足し、第２のＯＣＰ／ＯＶＰユニット１０４は第４のスイッチ１０５をオンにする。それで、モバイルデバイス３０によって供給される電力はＵＳＢ Ｔｙｐｅ−Ｃポート１１から第１のスイッチ１２及び第４のスイッチ１０５を介して、ＤＣ／ＤＣコンバータ１３の入力部Ｉ／Ｐ２に送電することができる。
【００３９】
マイクロプロセッサ１６は、第１のスイッチ１２が電力供給制御部１４によりオンされると判定し、第３のスイッチ１０３が第１のＯＣＰ／ＯＶＰユニット１０２によりオフされると判定し、第４のスイッチ１０５が第２のＯＣＰ／ＯＶＰユニット１０４によりオンされると判定する。したがって、マイクロプロセッサ１６は電力がモバイルデバイス３０によって供給されると判定し、第２のスイッチ１５をオンにする。
【００４０】
さらに、モバイルデバイス３０によって供給される電力はＤＣ／ＤＣコンバータ１３の出力部Ｏ／Ｐ３からシステム電源端子ＶＣＣに送電することができ、ピコ投影ユニット１９はモバイルデバイス３０によってシステム電源端子ＶＣＣから供給される電力を受電することができる。さらに、モバイルデバイス３０によって供給される電力は充電ユニット１０７に送電され、バッテリー１０６を充電する。
【００４１】
したがって、モバイルデバイス３０が電力を供給することが可能であるとき、ピコ投影ユニット１９は電力を受電してモバイルデバイス３０に表示される画面に同期して拡大画面を投影することができ、充電ユニット１０７は電力を受電してバッテリー１０６を充電することができる。
【００４２】
図４を参照するに、電力供給制御部１４は移動装置３０が電力検出信号に応じて電力を供給することができないと判定したとき、電力供給制御部１４は第１のスイッチ１２をオフにする。第１のスイッチ１２がオフになるとき、第４のスイッチ１０５を介して流れる電流はない。したがって、第４のスイッチ１０５に入力する電流／電圧値は固定電流／電圧値よりも低く、電力設定範囲外であり、第２のＯＣＰ／ＯＶＰユニット１０４は第４のスイッチ１０５をオフにする。また、第３のスイッチ１０３を介して流れる電流はない。したがって、第３のスイッチ１０３に入る電流／電圧値は固定電流／電圧値よりも低く、電力設定範囲外であり、第１のＯＣＰ／ＯＶＰユニット１０２は第３のスイッチ１０３をオフにする。バッテリー１０６は電力を充電ユニット１０７に出力し、バッテリー１０６によって供給される電力は充電ユニット１０７を介してＤＣ／ＤＣコンバータ１３の入力部Ｉ／Ｐ２に送電される。
【００４３】
マイクロプロセッサ１６は、第１のスイッチ１２が電力供給制御部１４によってオフにされると判定し、第３のスイッチ１０３が第１のＯＣＰ／ＯＶＰユニット１０２によってオフにされると判定し、第４のスイッチ１０５が第２のＯＣＰ／ＯＶＰユニット１０４によってオフにされると判定する。したがって、マイクロプロセッサ１６は電力がバッテリー１０６によって供給されていると判定し、第２のスイッチ１５をオフにする。そして、バッテリー１０６によって供給される電力はさらにＤＣ／ＤＣコンバータ１３出力部Ｏ／Ｐ３からシステム電源端子ＶＣＣに送電することができ、ピコ投影ユニット１９は電力をバッテリー１０６によってシステム電源端子ＶＣＣから受電できる。
【００４４】
図５を参照するに、電力入力ポート１０１が電源アダプタ４０を介して外部電源５０に接続されるとき、外部電源５０は電力を携帯型ドッキング装置１０に供給することができる。外部電源５０によって供給される電力は電力入力ポート１０１を介して第３のスイッチ１０３に送電される。外部電源５０が電力を供給可能であるとき、第３のスイッチ１０３に入る電流／電圧値は電力設定範囲を満足し、第１のＯＣＰ／ＯＶＰユニット１０２は３のスイッチ１０３をオンにする。したがって、外部電源５０によって供給される電力は充電ユニット１０７に送電されてバッテリー１０６を充電することができる。外部電源５０によって供給される電力はさらにＤＣ／ＤＣコンバータ１３の入力部Ｉ／Ｐ２に送電される。
【００４５】
マイクロプロセッサ１６は第３のスイッチ１０３が第１のＯＣＰ／ＯＶＰユニット１０２によってオンにされると判定する。したがって、マイクロプロセッサ１６は電力が外部電源５０によって供給されていると判定し、第２のスイッチ１５をオンにする。それで、外部電源５０によって供給される電力はさらにＤＣ／ＤＣコンバータ１３の出力部Ｏ／Ｐ３からシステム電源端子ＶＣＣに送電することができ、ピコ投影ユニット１９は外部電源５０によってシステム電源端子ＶＣＣから供給される電力を受電することができる。
【００４６】
さらに、電力供給制御部１４は第３のスイッチ１０３がマイクロプロセッサ１６によりオンされていると判定し、電力は外部電源５０によって供給される。したがって、電源供給制御部１４は第１のスイッチ１２をオンにし、外部電源５０によって供給される電力は第１のスイッチ１２、ＵＳＢ Ｔｙｐｅ−Ｃポート１１及びケーブル２０を介してモバイルデバイス３０に送電することができ、モバイルデバイス３０を充電する。
【００４７】
どのようにしてマイクロプロセッサ１６が第２のスイッチ１５をオン又はオフにするかは次表に示すように纏めることができる。
【００４８】
【表１】
0003203823.tif 000003
【００４９】
この実施例において、ピコ投影ユニット１９はモバイルデバイス３０から電力を受電し、かつモバイルデバイス３０に表示される画面に同期する拡大画面をピコ投影ユニット１９よって投影することができる。したがって、視聴者は拡大画面を視聴することができ、視聴者の視野が遮断されることがない。また、携帯型ドッキング装置１０のユーザは電源アダプタを持参する必要はなく、ピコ投影ユニット１９は拡大画面を投影することができる。携帯型ドッキング装置１０の利便性及び携帯型性を向上させることができる。携帯型ドッキング装置１０の他の実施例において、ピコ投影ユニット１９はバッテリー１０６又は外部電源５０から電力を受電することができる。したがって、携帯型ドッキング装置１０の利便性をさらに向上させることができる。
【符号の説明】
【００５０】
１０・・・携帯型ドッキング装置
１１・・・ＵＳＢ Ｔｙｐｅ−Ｃポート
１２・・・第１のスイッチ
１３・・・ＤＣ／ＤＣコンバータ
１４・・・電源供給制御部
１５・・・第２のスイッチ
１６・・・マイクロプロセッサ
１７・・・ＵＳＢハブ
１８・・・接続モジュール
１９・・・ピコ投影ユニット
２０・・・ケーブル
３０・・・モバイルデバイス
５０・・・外部電源
１０１・・・電力入力ポート
１０２・・・第１のＯＣＰ／ＯＶＰユニット
１０３・・・第３のスイッチ
１０４・・・第２のＯＣＰ／ＯＶＰユニット
１０５・・・第４のスイッチ
１０６・・・バッテリー
１０７・・・充電ユニット
１８１、１８２・・・ＵＳＢ Ｔｙｐｅ−Ａポート
１８３・・・ＵＳＢ Ｔｙｐｅ−Ｃポート
１８４・・・オーディオ出力ポート
１８５・・・オーディオ入力ポート
１８６・・・インターネット接続ポート
１８７・・・ビデオ接続ポート
１８８・・・ＨＤＭＩポート
１８０１・・・オーディオ・ビデオ接続ユニット
１８０２・・・ＨＤＭＩ切替ユニット
Ｉ／Ｐ１・・・ケーブル接続端子
Ｏ／Ｐ１・・・信号送信端子
Ｏ／Ｐ２・・・電力伝送端子
Ｉ／Ｐ２・・・入力部
Ｏ／Ｐ３・・・出力部
ＶＣＣ・・・システム電源端子
【図１】
0003203823.tif 000004
【図２】
0003203823.tif 000005
【図３】
0003203823.tif 000006
【図４】
0003203823.tif 000007
【図５】
0003203823.tif 000008
【手続補正書】
【提出日】平成28年2月5日(2016.2.5)
【手続補正１】
【補正対象書類名】実用新案登録請求の範囲
【補正対象項目名】全文
【補正方法】変更
【補正の内容】
【実用新案登録請求の範囲】
【請求項１】
ケーブルに接続されるケーブル接続端子、信号送信端子及び電力伝送端子を有するＵＳＢ Ｔｙｐｅ−Ｃポート、
前記ＵＳＢ Ｔｙｐｅ−Ｃポートの前記電力伝送端子に接続される第１のスイッチ、
入力部及び出力部を有し、前記入力部は前記第１のスイッチを介して前記ＵＳＢ Ｔｙｐｅ−Ｃポートの前記電力伝送端子に接続されるＤＣ／ＤＣコンバータ、
前記ＵＳＢ Ｔｙｐｅ−Ｃポートの前記電力伝送端子に接続されて電力検出信号を受信し、前記第１のスイッチに接続されて前記電力検出信号に応じて前記第１のスイッチをオン又はオフする電力供給制御部、
前記ＤＣ／ＤＣコンバータの前記出力部に接続される第２のスイッチ、
前記第２のスイッチを介して前記ＤＣ／ＤＣコンバータの前記出力部に接続されるシステム電源端子、
前記電力供給制御部に接続されて制御信号を受信し、前記第２のスイッチに接続されて前記制御信号に応じて前記第２のスイッチオン又はオフするマイクロプロセッサ、
前記ＵＳＢ Ｔｙｐｅ−Ｃポートの前記信号送信端子に接続されるＵＳＢハブ、
前記ＵＳＢハブに接続される接続モジュール、
前記システム電源端子に接続されて電力を受電し、前記接続モジュールに接続されるピコ投影ユニット
を備えることを特徴とするビデオコンテンツ投影可能の携帯型ドッキング装置。
【請求項２】
電力入力ポート、
前記電力入力ポート及び前記ＤＣ／ＤＣコンバータの前記入力部間に接続される第３のスイッチ、
前記第３のスイッチに接続されて前記第３のスイッチに入る電流／電圧値が電力設定範囲内にあるか否かを判定する第１のＯＣＰ／ＯＶＰユニットを備え、前記電流／電圧値が電力設定範囲内であるとき前記第１のＯＣＰ／ＯＶＰユニットは前記第３のスイッチをオンにし、前記電流／電圧値が電力設定範囲外であるとき前記第１のＯＣＰ／ＯＶＰユニットは前記第３のスイッチをオフにするものであることを特徴とする請求項１記載の携帯型ドッキング装置。
【請求項３】
前記マイクロプロセッサは前記第１のＯＣＰ／ＯＶＰユニットに接続されて前記第３のスイッチがオンになっているか否かを判定し、前記電力供給制御部は前記第３のスイッチが前記マイクロプロセッサによってオンされると判定するとき前記電力供給制御部は前記第１のスイッチをオンにするものであることを特徴とする請求項２記載の携帯型ドッキング装置。
【請求項４】
前記第１のスイッチ及び前記ＤＣ／ＤＣコンバータの前記入力部間に接続される第４のスイッチと、前記第４のスイッチに接続されて前記第４のスイッチに入る電流／電圧値が電力設定範囲内にあるか否かを検出する第２のＯＣＰ／ＯＶＰユニットとを備え、前記電流／電圧値が前記電力設定範囲内であるとき前記第２のＯＣＰ／ＯＶＰユニットは前記第４のスイッチをオンにし、前記電流／電圧値が前記電力設定範囲外であるとき前記第２のＯＣＰ／ＯＶＰユニットは前記第４のスイッチをオフにするものであることを特徴とする請求項１記載の携帯型ドッキング装置。
【請求項５】
前記第１のスイッチ及び前記ＤＣ／ＤＣコンバータの前記入力部間に接続される第４のスイッチを備え、前記第４のスイッチ及び前記第１のスイッチによって接続される接続点は前記第３のスイッチ及び前記ＤＣ／ＤＣコンバータの前記入力部によって接続される接続点に接続され、前記第４のスイッチに接続されて前記第４のスイッチに入る電流／電圧値が前記電力設定範囲内にあるか否かを検出する第２のＯＣＰ／ＯＶＰユニットを備え、前記電流／電圧値が前記電力設定範囲内であるとき前記第２のＯＣＰ／ＯＶＰユニットは前記第４のスイッチをオンにし、前記電流／電圧値が前記電力設定範囲外であるとき前記第２のＯＣＰ／ＯＶＰユニットは前記第４のスイッチをオフにするものであることを特徴とする請求項２記載の携帯型ドッキング装置。
【請求項６】
前記第１のスイッチ及び前記ＤＣ／ＤＣコンバータの前記入力部間に接続される第４のスイッチを備え、前記第４のスイッチ及び前記第１のスイッチによって接続される接続点は前記第３のスイッチ及び前記ＤＣ／ＤＣコンバータの前記入力部によって接続される接続点に接続され、前記第４のスイッチに接続されて前記第４のスイッチに入る電流／電圧値が前記電力設定範囲内にあるか否かを検出する第２のＯＣＰ／ＯＶＰユニットを備え、前記電流／電圧値が前記電力設定範囲内であるとき前記第２のＯＣＰ／ＯＶＰユニットは前記第４のスイッチをオンにし、前記電流／電圧値が前記電力設定範囲外であるとき前記第２のＯＣＰ／ＯＶＰユニットは前記第４のスイッチをオフにするものであることを特徴とする請求項３記載の携帯型ドッキング装置。
【請求項７】
前記マイクロプロセッサは、前記第１のＯＣＰ／ＯＶＰユニットに接続されて第１の制御信号を受信し、前記第３のスイッチがオンになっているか否かを判定し、前記第２のＯＣＰ／ＯＶＰユニットに接続されて第２の制御信号を受信し、前記第４のスイッチがオンになっているか否かを判定するものであり、さらに前記マイクロプロセッサは前記第１の制御信号及び前記第２の制御信号に応じて前記第２のスイッチを制御するものであることを特徴とする請求項５又は請求項６記載の携帯型ドッキング装置。
【請求項８】
前記ＤＣ／ＤＣコンバータの前記入力部に接続される充電ユニット、
前記充電ユニットに接続されるバッテリー
を備えることを特徴とする請求項１乃至請求項６何れか１項記載の携帯型ドッキング装置。
【請求項９】
前記ＤＣ／ＤＣコンバータの前記入力部に接続される充電ユニット、
前記充電ユニットに接続されるバッテリー
を備えることを特徴とする請求項７記載の携帯型ドッキング装置。
【請求項１０】
前記接続モジュールは少なくとも１つのＵＳＢ Ｔｙｐｅ−Ａポート、ＵＳＢ Ｔｙｐｅ−Ｃポート、オーディオ出力ポート、オーディオ入力ポート、インターネット接続ポート、ビデオ接続ポート及びＨＤＭＩポート又はこれらの組み合わせの何れか１つを備えることを特徴とする請求項１乃至請求項６何れか１項記載の携帯型ドッキング装置。
【請求項１１】
前記接続モジュールは少なくとも１つのＵＳＢ Ｔｙｐｅ−Ａポート、ＵＳＢ Ｔｙｐｅ−Ｃポート、オーディオ出力ポート、オーディオ入力ポート、インターネット接続ポート、ビデオ接続ポート及びＨＤＭＩポート又はこれらの組み合わせの何れか１つを備えることを特徴とする請求項７記載の携帯型ドッキング装置。
【請求項１２】
前記接続モジュールは少なくとも１つのＵＳＢ Ｔｙｐｅ−Ａポート、ＵＳＢ Ｔｙｐｅ−Ｃポート、オーディオ出力ポート、オーディオ入力ポート、インターネット接続ポート、ビデオ接続ポート及びＨＤＭＩポート又はこれらの組み合わせの何れか１つを備えることを特徴とする請求項８記載の携帯型ドッキング装置。
【請求項１３】
接続モジュールは、少なくとも１つのＵＳＢポートタイプ、ＵＳＢ  Ｔｙｐｅ−Ｃポート、オーディオ出力端子、オーディオ入力ポート、インターネット接続ポート、ビデオ接続ポート及びＨＤＭＩポート又はこれらの組み合わせの何れか１つを備えることを特徴とする請求項９記載の携帯型ドッキング装置。